(57)【要約】【課題】運転に関する必要な制御情報を入力する際、複数の本体に対して入力する操作を複数回行わなければならないため、同じ操作を何度も繰り返す必要があった。【解決手段】食器を収納する洗浄槽を有する本体を複数有し、該複数の本体のそれぞれに食器洗い機の運転を制御する制御手段を有し、該複数の制御手段の少なくとも１つは食器洗い機の運転開始時刻を設定する機能と現在の時刻を設定する機能とを有し、前記複数の制御手段間で接続され１の制御手段で設定された食器洗い機の運転に関する情報を他の制御手段に送信する送信手段を設けた。【選択図】図３
2004065703.tif 000002
【特許請求の範囲】
【請求項１】
食器を収納する洗浄槽を有する本体を複数有し、該複数の本体のそれぞれに食器洗い機の運転を制御する制御手段を有し、該複数の制御手段の少なくとも１つは食器洗い機の運転開始時刻を設定する機能と現在の時刻を設定する機能とを有し、前記複数の制御手段間で接続され１つの制御手段で設定された食器洗い機の運転に関する情報を他の制御手段に送信する送信手段を有することを特徴とする食器洗い機。
【発明の詳細な説明】
【０００１】
【発明の属する技術分野】
本発明は一般家庭において使用する食器洗い機において、
食器を収納する洗浄槽を有する本体を複数有し、該複数の本体のそれぞれに食器洗い機の運転を制御する制御手段を有する食器洗い機に関するものである。
【０００２】
【従来の技術】
従来の食器洗い機においては、複数の食器洗い機があり、現在の時刻を入力する際、個々に入力を行っていた。
【０００３】
【発明が解決しようとする課題】
しかしながら、本構成では、運転に関する必要な制御情報を入力する際、複数の本体に対して入力する操作を複数回行わなければならないため、同じ操作を何度も繰り返す必要があった。
【０００４】
【課題を解決するための手段】
上記のような問題を解決するために本発明は、食器を収納する洗浄槽を有する本体を複数有し、該複数の本体のそれぞれに食器洗い機の運転を制御する制御手段を有し、該複数の制御手段の少なくとも１つは食器洗い機の運転開始時刻を設定する機能と現在の時刻を設定する機能とを有し、前記複数の制御手段間で接続され１の制御手段で設定された食器洗い機の運転に関する情報を他の制御手段に送信する送信手段を有することを特徴とする。
【０００５】
【発明の実施の形態】
実施例では、洗浄槽を有する本体、食器洗い機の運転を制御する制御手段を２個使用し上下２段式の食器洗い機について、以下、本発明を、図１から図４を用いて説明する。
【０００６】
図１は、システムキッチンに組み込んだ食器洗い機の斜視図である。
【０００７】
食器を収納する２つの洗浄槽ユニット１００，２００を上下２段に積み重ねるように組み合わせた状態にシステムキッチン１３０に組み込んだ構成である。
【０００８】
２つの洗浄槽ユニット１００，２００は、その殆どを同一構成にしているので、共通する構成については、上段に位置する洗浄槽ユニット１００を例示して、構成を説明する。
【０００９】
洗浄槽ユニット１００は、引き出し式の洗浄槽１０１をケース１０２内に進退可能に収容し、引き出した状態で食器の出し入れや洗剤投入を行い、押し込んだ状態で（洗い、すすぎ、乾燥）を行う。洗浄槽１０１の前側面に取り付けられた前面パネル１０３は、この前面パネル１０３の前緑面に設けた操作パネル１０４と上端面に設けた操作パネル１０５を備える。
【００１０】
この洗浄槽ユニット１００の具体的な組み立て構造を図２を用いて説明する。食器を収納する洗浄槽１０１は、食器かご２０２、水溜部２０３、回転ノズル２０６、電動機（ブラシレスモータ）２０１、送風装置（ファンモータ）２０５，水温を加熱するヒータ２０９等から、上下２段にて構成されている。
【００１１】
洗浄を行う場合は、電動機（ブラシレスモータ）２０１を正回転に回転させ洗浄ポンプ羽根２０８より水溜め部２０３内の水を回転ノズル２０６から上向きに噴射させる。排水を行う場合は、電動機（ブラシレスモータ）２０１を逆回転に回転させ排水ポンプ羽根２０７により排水ポンプ機能を発揮させ排水させる。この時、洗浄ポンプ羽根２０８は機能しない。
【００１２】
また、洗浄槽内には、回転ノズル２０６の上方に位置するように食器かご２０２を設置する。ここで、本発明の食器洗い機の制御について図３の制御ブロック図をもとに説明するこの制御装置３００は、上段の洗浄槽ユニット１００における従来のような食器洗浄制御を実行する制御系３０１と下段の洗浄槽ユニット１２０における調理器具または食器洗浄制御を実行する制御系３０２を備える。各制御系３０１，３０２は、それぞれマイクロコンピュータ３０３，３０４を中心にして同様に構成するので、ここでは、制御系３０１について説明する。
【００１３】
マイクロコンピュータ３０３は、前記操作パネル１０４，１０５のスイッチである操作パネルスイッチ３０５からの操作入力に従って、プログラムを実行して食器洗い機の洗い、水すすぎ、温水すすぎ、乾燥の各工程を実行する。
【００１４】
そのために、マイクロコンピュータ３０３は、洗浄液の水位を感知する水位センサ３１１，ドアセンサ３１０，洗浄液の温度を感知する水温センサ３０９，ヒータ過熱センサ３０６からの検知信号を入力し、吸水電磁弁３１４と、前記ヒータ２０９と、前記ブラシレスモータ２０１と、前記送風装置（ファンモータ）２０５と、前記操作パネル１０４，１０５に設けた表示器３１３とブザー３１２を制御する。
【００１５】
そして、マイクロコンピュータ３０３は、洗い工程では、吸水電磁弁３１４を開いて所定水位までの吸水を実行し、ブラシレスモータ２０１を正回転（洗浄モード）で運転して洗浄ポンプ羽根２０８を回転させることにより、洗浄槽１０１の水溜部２０３から洗浄液を吸い上げて回転ノズル２０６に供給し、食器かご２０２に向けて噴射して食器洗いや調理器具洗いを実行する。
【００１６】
洗浄液は、ヒータ２０９に通電して加熱する。
【００１７】
洗いが終了すると、ブラシレスモータ２０１を逆回転（排水モード）として排水ポンプ羽根２０７を機能させて洗浄槽１０１内の洗浄液を排水する。
【００１８】
すすぎ工程では、吸水電磁弁３１４を開いて所定水位まですすぎ水を吸水し、ブラシレスモータ２０１を正回転（洗浄モード）で運転して洗浄ポンプ羽根２０８を回転させることにより、洗浄槽１０１の水溜部２０３から洗浄液を吸い上げて回転ノズル２０６に供給し、食器かご２０２に向けて固定時間噴射して食器洗いや調理器具のすすぎを実行する。
【００１９】
すすぎが終了すると、ブラシレスモータ２０１を逆回転（排水モード）として排水ポンプ羽根２０７を機能させて洗浄槽１０１内の洗浄液を排水する。
温水すすぎ工程では、吸水電磁弁３１４を開いて所定水位まですすぎ水を吸水し、
ブラシレスモータ２０１を正回転（洗浄モード）で運転して洗浄ポンプ羽根２０８を回転させることにより、洗浄槽１０１の水溜部２０３から洗浄液を吸い上げて回転ノズル２０６に供給し、食器かご２０２に向けて指定温度まで噴射し、ヒータ２０９に通電して加熱する食器洗いや調理器具の温水すすぎを実行する。
【００２０】
温水すすぎが終了すると、ブラシレスモータ２０１を逆回転（排水モード）として排水ポンプ羽根２０７を機能させて洗浄槽１０１内の洗浄液を排水する。必要に応じてヒータ２０９を通電してすすぎ水を加熱する。このすすぎ水の排水も洗浄液の排水と同様に行う。
【００２１】
乾燥工程では、送風装置（ファンモータ）２０５により排気し、ヒータ２０９で固定時間加熱して温風乾燥を実行する。
【００２２】
上段の食器洗浄槽ユニット１００の制御系３０１は、従来の食器洗い機と同様な食器洗浄制御を実行する。本実施例の形態は、二つの制御系３０１，３０２を有しており、これらは、通信線３５０で接続され、深夜電力利用時に、双方の洗い、すすぎ運転が同時に動作しないように制御している。食器洗い機の運転開始時刻を設定する機能とは、深夜電力を利用した運転を実現するために深夜電力の利用開始時間を入力する機能である。
【００２３】
また、食器洗い機の運転に関する情報とは、深夜電力を利用し運転を行うための現在時刻の情報や深夜運転利用開始時間等の情報を言う。
【００２４】
図４に深夜電力を利用し運転を行うために必要な現在時刻設定機能を用い、設定された現在時刻を下段の本体に送信するまでの流れをフローチャートにより説明する。
【００２５】
操作スイッチ３０５により、現在時刻設定機能が起動される。現在時刻設定が起動されると、現在時刻の午前または、午後の入力処理４０１を行う。午前、午後の選択画面は、表示機３１３で表示し、午前／午後の選択スイッチは、操作スイッチ３０５により入力する。入力されたデータは、表示機３１３で表示される。午前、午後の入力が完了すると「時」の入力処理４０２に移る。「時」の入力も前記午前、午後の選択と同様な操作で操作スイッチ３０５により入力されたデータは表示機３１３に表示される。「時」の入力処理４０２が完了すると、「分」の入力処理４０３が起動される。前記と同様の操作で「分」入力が完了し、全ての入力処理４０１，４０２，４０３が完了すると、入力された現在時刻として記憶される。記憶処理４０４完了後、上段の食器洗浄槽ユニット１００の制御系３０１から下段の食器洗浄槽ユニット１２０の制御系３０２へ通信線３５０を経由し送信される４０５。マイクロコンピュータ３０４は、上段の食器洗浄槽ユニット１００の制御系３０１からの情報（現在時刻）を記憶する。
【００２６】
【発明の効果】
以上に述べたように本発明よれば、食器を収納する洗浄槽を有する本体を複数有し、該複数の本体のそれぞれに食器洗い機の運転を制御する制御手段を有する食器洗い機において現在時刻等の運転情報をユーザが複数回入力する必要がなく、１回の操作で複数の本体に運転情報が設定可能になり、操作性が良くなる。
【図面の簡単な説明】
【図１】本発明の実施形態にかかるもので、食器洗い機を引出した状態を示す斜視図である。
【図２】本発明の実施形態にかかるもので、食器類を洗浄する本体の縦断面図である。
【図３】本発明の実施形態にかかるもので、食器洗の制御系ブロック図である。
【図４】本発明の実施形態にかかるもので、制御内容を表すチャートである。
【符号の説明】
１００，２００…洗浄槽ユニット、３０１，３０２…洗浄槽ユニットの食器洗浄制御を実行する制御系。
【図１】
2004065703.tif 000003
【図２】
2004065703.tif 000004
【図３】
2004065703.tif 000005
【図４】
2004065703.tif 000006